(57)【要約】【課題】主に各種電子機器の操作に用いられるスイッチ装置及びこれを用いたリモコン送信機に関し、良好な感触で確実な操作が可能なものを提供することを目的とする。【解決手段】操作体２が上下動可能に装着されたケース１１の開口孔１１Ａ外周に、下方へ突出する略筒状のガイド壁１１Ｂを設けると共に、このガイド壁１１Ｂに切欠部１１Ｃを形成することによって、切欠部１１Ｃ以外のガイド壁１１Ｂによって、操作体２の傾きやがたつき、潜り込み等を防止できると共に、開口孔１１Ａから飲料等が流入しても、切欠部１１Ｃから流出して、ガイド壁１１Ｂとの僅かな隙間に凝固することが少なくなるため、良好な感触で確実な操作が可能なスイッチ装置、及びこれを用いたリモコン送信機を得ることができる。【選択図】図１
2008140671.tif 000002
【特許請求の範囲】
【請求項１】
上面に開口孔が形成された略箱型のケースと、このケースの開口孔内に上下動可能に装着された操作体と、この操作体の上下動に応じて電気的接離を行うスイッチ接点からなり、上記ケースの開口孔外周に下方へ突出する略筒状のガイド壁を設けると共に、このガイド壁に切欠部を形成したスイッチ装置。
【請求項２】
請求項１記載のスイッチ装置と、このスイッチ装置のスイッチ接点に接続された制御手段からなり、上記制御手段が上記スイッチ接点の電気的接離に応じて、送信手段からリモコン信号を送信するリモコン送信機。
【発明の詳細な説明】
【技術分野】
【０００１】
本発明は、主に各種電子機器の操作に用いられるスイッチ装置、及びこれを用いたリモコン送信機に関するものである。
【背景技術】
【０００２】
近年、映像や音響、空調等の各種電子機器の高機能化や多様化が進むなか、これらを操作するスイッチ装置やリモコン送信機においても、良好な感触で確実な操作を行えるものが求められている。
【０００３】
このような従来のスイッチ装置及びこれを用いたリモコン送信機について、図４及び図５を用いて説明する。
【０００４】
図４は従来のリモコン送信機の断面図、図５は同要部分解斜視図であり、同図において、１は略箱型で絶縁樹脂製のケース、２は絶縁樹脂製の操作体で、ケース１上面には複数の開口孔１Ａが形成され、この開口孔１Ａ内に複数の操作体２が操作部２Ａを上方へ突出させて、上下動可能に装着されている。
【０００５】
そして、ケース１の開口孔１Ａ外周には、操作体２外周と僅かな隙間を空けて下方へ突出する略角筒状のガイド壁１Ｂが設けられると共に、操作体２下面には下方へ突出する押圧部２Ｂが形成されている。
【０００６】
また、３は上下面に複数の配線パターン（図示せず）が形成された配線基板で、この上面にはカーボン等の複数の固定接点４が形成されると共に、外側の固定接点４上に、略ドーム状で導電金属板製の可動接点５が、中央の固定接点４と所定の間隙を空けて対向載置されて、複数のスイッチ接点が形成されている。
【０００７】
さらに、６はゴム等の弾性シートで、この弾性シート６が配線基板３上面に載置されると共に、可動接点５上方には下面に突起が形成された薄肉部６Ａが設けられて、スイッチ装置が構成されている。
【０００８】
また、配線基板３の上下面には、発光ダイオード等の電子部品によってリモコン信号を送信する送信手段７や、配線パターンを介して送信手段７や固定接点４等に接続された、マイコン等の制御手段８が形成されている。
【０００９】
そして、９は略箱型で絶縁樹脂製のカバーで、このカバー９が操作体２や配線基板３が収納されたケース１下面を覆うと共に、ねじ（図示せず）等によってケース１とカバー９が締付され固着されて、リモコン送信機が構成されている。
【００１０】
以上の構成において、リモコン送信機を操作する電子機器に向け、所定の操作体２の操作部２Ａを押圧操作すると、押圧部２Ｂが弾性シート６の薄肉部６Ａを介して、可動接点５を押圧するため可動接点５が弾性変形して反転し、中央下面が中央の固定接点４に接触して、外側と中央の固定接点４の電気的接離が行われる。
【００１１】
そして、このスイッチ接点の電気的接離に応じて制御手段８が、送信手段７から赤外線のリモコン信号を電子機器へ送信し、例えば、テレビやビデオの電源の入／切や選局切換え、音量の増減等が遠隔操作によって行われる。
【００１２】
なお、この時、ケース１の開口孔１Ａ外周には、操作体２外周と僅かな隙間を空けて下方へ突出する略角筒状のガイド壁１Ｂが設けられているため、操作体２の傾きやがたつき等が少ない状態で、操作体２の押圧操作が行えるようになっている。
【００１３】
つまり、操作部２Ａ外周に近い長さのガイド壁１Ｂの内周全体で、操作体２の外周全体をガイドすることによって、操作時の操作体２の傾きやがたつき等を防ぐと共に、多少大きな力で操作体２を押圧しても、操作体２がケース１内に潜り込んでしまうことを防止し、確実な押圧操作が可能なように構成されているものであった。
【００１４】
なお、この出願の発明に関連する先行技術文献情報としては、例えば、特許文献１が知られている。
【特許文献１】特開２００６−１６４８７１号公報
【発明の開示】
【発明が解決しようとする課題】
【００１５】
しかしながら、上記従来のスイッチ装置やリモコン送信機においては、操作体２外周との隙間が僅かで、比較的寸法の長いガイド壁１Ｂによって操作体２をガイドしているため、操作体２やケース１上面に水分、特にコーヒーやジュース等の飲料が付着し、これが開口孔１Ａから流入した後、乾燥してガイド壁１Ｂとの僅かな隙間に凝固した場合、これによって操作体２の上下動が妨げられ、操作感触が損なわれることや、操作体２が動かず操作が行いづらくなってしまう場合があるという課題があった。
【００１６】
本発明は、このような従来の課題を解決するものであり、良好な感触で確実な操作の可能なスイッチ装置、及びこれを用いたリモコン送信機を提供することを目的とする。
【課題を解決するための手段】
【００１７】
上記目的を達成するために本発明は、以下の構成を有するものである。
【００１８】
本発明の請求項１に記載の発明は、操作体が上下動可能に装着されたケースの開口孔外周に、下方へ突出する略筒状のガイド壁を設けると共に、このガイド壁に切欠部を形成してスイッチ装置を構成したものであり、切欠部以外のガイド壁によって、操作体の傾きやがたつき、潜り込み等を防止できると共に、開口孔から飲料等が流入しても切欠部から流出して、ガイド壁との僅かな隙間に凝固することが少なくなるため、良好な感触で確実な操作が可能なスイッチ装置を得ることができるという作用を有する。
【００１９】
請求項２に記載の発明は、請求項１記載のスイッチ装置のスイッチ接点に制御手段を接続し、制御手段がスイッチ接点の電気的接離に応じて、送信手段からリモコン信号を送信するようにしてリモコン送信機を構成したものであり、良好な感触で確実な操作の可能なリモコン送信機を実現することができるという作用を有する。
【発明の効果】
【００２０】
以上のように本発明によれば、良好な感触で確実な操作の可能なスイッチ装置、及びこれを用いたリモコン送信機を実現できるという有利な効果が得られる。
【発明を実施するための最良の形態】
【００２１】
以下、本発明の実施の形態について、図１〜図３を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるリモコン送信機の断面図、図２は同要部分解斜視図であり、同図において、１１は略箱型でＡＢＳやポリスチレン等の絶縁樹脂製のケース、２は同じく絶縁樹脂製の操作体で、ケース１１上面には複数の開口孔１１Ａが形成され、この開口孔１１Ａ内に複数の操作体２が操作部２Ａを上方へ突出させて、上下動可能に装着されている。
【００２４】
そして、ケース１１の開口孔１１Ａ外周には、操作体２外周と僅かな隙間を空けて下方へ突出する略角筒状のガイド壁１１Ｂが設けられると共に、このガイド壁１１Ｂの四面には切欠部１１Ｃが形成され、操作体２下面には下方へ突出する押圧部２Ｂが形成されている。
【００２５】
また、３は紙フェノールやガラス入りエポキシ等の配線基板で、上下面に銅箔等によって複数の配線パターン（図示せず）が形成されると共に、この配線基板３上面には銅箔やカーボン等によって、複数の固定接点４が形成されている。
【００２６】
さらに、５は略ドーム状で銅合金等の導電金属板製の可動接点で、この可動接点５の外周下端が外側の固定接点４上に載置されると共に、中央下面が中央の固定接点４と所定の間隙を空けて対向して、複数のスイッチ接点が形成されている。
【００２７】
そして、１６はゴムやエラストマー等の弾性シートで、この配線基板３上面に載置された弾性シート１６の、可動接点５上方には下面に突起が形成された薄肉部１６Ａが設けられると共に、端部外周に形成された凸部１６Ｂの内側には、ケース１１下面から下方へ突出した防水壁１１Ｄが弾接して、スイッチ装置が構成されている。
【００２８】
また、配線基板３の上下面には、発光ダイオード等の電子部品によってリモコン信号を送信する送信手段７や、配線パターンを介して送信手段７や固定接点４等に接続された、マイコン等の制御手段８が形成されている。
【００２９】
さらに、９は略箱型で絶縁樹脂製のカバーで、このカバー９が操作体２や配線基板３が収納されたケース１１下面を覆うと共に、ねじ（図示せず）等によってケース１１とカバー９が締付され固着されて、リモコン送信機が構成されている。
【００３０】
以上の構成において、リモコン送信機を操作する電子機器に向け、所定の操作体２の操作部２Ａを押圧操作すると、押圧部２Ｂが弾性シート１６の薄肉部１６Ａを介して、可動接点５を押圧するため可動接点５が弾性変形して反転し、中央下面が中央の固定接点４に接触して、外側と中央の固定接点４の電気的接離が行われる。
【００３１】
そして、このスイッチ接点の電気的接離に応じて制御手段８が、送信手段７から赤外線のリモコン信号を電子機器へ送信し、例えば、テレビやビデオの電源の入／切や選局切換え、音量の増減等が遠隔操作によって行われる。
【００３２】
なお、この時、ケース１１の開口孔１１Ａ外周には、四面に切欠部１１Ｃが形成され、操作体２外周と僅かな隙間を空けて下方へ突出する略角筒状のガイド壁１１Ｂが設けられているため、傾きやがたつき等が少ない状態で、操作体２の押圧操作が行えるようになっている。
【００３３】
つまり、切欠部１１Ｃ以外の比較的寸法が長く四隅に突出したガイド壁１１Ｂで、操作体２の四隅全体をガイドすることによって、操作時の操作体２の傾きやがたつき等を防ぐと共に、多少大きな力で操作体２を押圧しても、操作体２がケース１１内に潜り込んでしまうことを防止し、確実な押圧操作が可能なように構成されている。
【００３４】
また、ガイド壁１１Ｂの四面には切欠部１１Ｃが形成されているため、操作体２やケース１１上面に水分、特にコーヒーやジュース等の飲料が付着し、これが開口孔１１Ａから流入した場合にも、操作体２の操作に支障が生じづらいようになっている。
【００３５】
すなわち、開口孔１１Ａから飲料等が流入しても、これらはすぐ切欠部１１Ｃから外方へ流出して、ガイド壁１１Ｂとの僅かな隙間に残留し凝固することが少なくなるため、操作体２の上下動が妨げられ、操作感触が損なわれることや、操作体２が動かず操作が行いづらくなることを防ぎ、良好な感触で確実な操作が可能なように構成されている。
【００３６】
さらに、配線基板３上面が弾性シート１６で覆われると共に、この弾性シート１６端部外周の凸部１６Ｂの内側には、ケース１１下面から下方へ突出した防水壁１１Ｄが弾接して、防水構成となっているため、上記のように飲料等が流入した場合でも、これらが配線基板３上に流出することはなく、固定接点４や可動接点５への侵入や付着を防ぎ、スイッチ接点の確実な電気的接離が行えるようになっている。
【００３７】
このように本実施の形態によれば、操作体２が上下動可能に装着されたケース１１の開口孔１１Ａ外周に、下方へ突出する略筒状のガイド壁１１Ｂを設けると共に、このガイド壁１１Ｂに切欠部１１Ｃを形成することによって、切欠部１１Ｃ以外のガイド壁１１Ｂによって、操作体２の傾きやがたつき、潜り込み等を防止できると共に、開口孔１１Ａから飲料等が流入しても、切欠部１１Ｃから流出して、ガイド壁１１Ｂとの僅かな隙間に凝固することが少なくなるため、良好な感触で確実な操作が可能なスイッチ装置、及びこれを用いたリモコン送信機を得ることができるものである。
【００３８】
なお、以上の説明では、絶縁樹脂製の操作体２を用い、配線基板３上面を弾性シート１６で覆った構成について説明したが、図３の断面図に示すように、下面にカーボン等の可動接点１５が形成された操作部１２Ａと、下方のベース部１２Ｂが弾性薄肉部１２Ｃで連結された、ゴムやエラストマー等の操作体１２を用い、操作部１２Ａを押圧操作すると、弾性薄肉部１２Ｃが弾性変形して可動接点１５が対向した固定接点４に接触して、複数の固定接点４の電気的接離が行われる構成としても、本発明の実施は可能である。
【産業上の利用可能性】
【００３９】
本発明によるスイッチ装置及びこれを用いたリモコン送信機は、良好な感触で確実な操作が可能なものが得られ、主に各種電子機器の操作用として有用である。
【図面の簡単な説明】
【００４０】
【図１】本発明の一実施の形態によるリモコン送信機の断面図
【図２】同要部分解斜視図
【図３】同他の実施の形態による断面図
【図４】従来のリモコン送信機の断面図
【図５】同要部分解斜視図
【符号の説明】
【００４１】
２、１２  操作体
２Ａ、１２Ａ  操作部
２Ｂ  押圧部
３  配線基板
４  固定接点
５、１５  可動接点
７  送信手段
８  制御手段
９  カバー
１１  ケース
１１Ａ  開口孔
１１Ｂ  ガイド壁
１１Ｃ  切欠部
１１Ｄ  防水壁
１２Ｂ  ベース部
１２Ｃ  弾性薄肉部
１６  弾性シート
１６Ａ  薄肉部
１６Ｂ  凸部
【図１】
2008140671.tif 000003
【図２】
2008140671.tif 000004
【図３】
2008140671.tif 000005
【図４】
2008140671.tif 000006
【図５】
2008140671.tif 000007